(57)【要約】【課題】商品に関する情報を的確に表示しつつ、その商品を入手したユーザに対してサービス情報を付与し得るラベルを提供する。【解決手段】ラベル１によれば、第１のラベル基材２にはサービス情報を含んだ二次元コード７が表示され、第２のラベル基材３には缶コーヒーに関する情報を含んだバーコード６が表示されているので、商品である缶コーヒーに関する情報を的確に表示しつつ、缶コーヒーを入手したユーザに対してサービス情報を付与することができる。さらに、サービス情報が二次元コード７により表示されているため、例えば、携帯電話機等に設けられたＣＣＤカメラ等によって二次元コード７を撮像し、ネットワークを介して二次元コード７の画像データを所定の送信先に送信することで、何らかの景品が当たったか、或いは外れたかといった情報を送信先から即座に取得することが可能になる。【選択図】  図３
2004198616.tif 000002
【特許請求の範囲】
【請求項１】
商品に貼付けられると共に、その商品を入手したユーザに提供するためのサービス情報を有するラベルであって、
前記商品に貼付けられる第１のラベル基材と、
前記第１のラベル基材に貼付けられ、前記商品に関する情報が表示された第２のラベル基材とを備え、
前記第１のラベル基材には、前記サービス情報を含んだ二次元コードが表示されており、その二次元コードは、前記第２のラベル基材によって覆われていることを特徴とするラベル。
【請求項２】
前記第１のラベル基材において、前記二次元コードの周囲には余白部が設けられており、
前記第２のラベル基材において、前記余白部に対向する部分には粘着剤層が設けられていることを特徴とする請求項１記載のラベル。
【請求項３】
前記第２のラベル基材の隅部には、前記第２のラベル基材より硬い材質からなる剥離起点部が設けられていることを特徴とする請求項１又は２記載のラベル。
【発明の詳細な説明】
【０００１】
【発明の属する技術分野】
本発明は、缶ビールや缶コーヒー等の商品に貼付けられると共に、その商品を入手したユーザに提供するためのサービス情報を有するラベルに関する。
【０００２】
【従来の技術】
近年、商品の販売促進のために、景品の応募券等になるラベルが貼付けられた缶ビールや缶コーヒー等が販売されている。この種のラベルにおいては、ラベル基材の表面に応募方法等が印刷され、ラベル基材の裏面に剥離容易な粘着剤層が設けられている。そして、このようなラベルが貼付けられた商品を購入したユーザは、ラベルを商品から剥がし、例えば応募ハガキに貼付けて郵送することで、種々の景品が当たるキャンペーンに参加することができる。
【０００３】
なお、この種のラベルに関する技術は、例えば下記特許文献１に記載されている。
【０００４】
【特許文献１】
特開２００２−２６８５５７号公報
【０００５】
【発明が解決しようとする課題】
しかしながら、上述したようなラベルにあっては、ラベルを商品に貼付けることによって、商品自体に表示された会社名や商品名等のマークやロゴ、その商品に関する情報（例えば、商品が缶ビールの場合には、金属缶に印刷された原材料や内容量等の情報）等が隠されてしまうおそれがある。
【０００６】
そこで、本発明は、このような事情に鑑みてなされたものであり、商品に関する情報を的確に表示しつつ、その商品を入手したユーザに対して、例えば懸賞等のサービス情報を付与することのできるラベルを提供することを目的とする。
【０００７】
【課題を解決するための手段】
上記目的を達成するために、本発明に係るラベルは、商品に貼付けられると共に、その商品を入手したユーザに提供するためのサービス情報を有するラベルであって、商品に貼付けられる第１のラベル基材と、第１のラベル基材に貼付けられ、商品に関する情報が表示された第２のラベル基材とを備え、第１のラベル基材には、サービス情報を含んだ二次元コードが表示されており、その二次元コードは、第２のラベル基材によって覆われていることを特徴とする。
【０００８】
このラベルによれば、第１のラベル基材にはサービス情報を含んだ二次元コードが表示され、第２のラベル基材には商品に関する情報が表示されているので、商品に関する情報を的確に表示しつつ、その商品を入手したユーザに対してサービス情報を付与することが可能になる。さらに、サービス情報が二次元コードにより表示されているため、例えば、携帯電話機等に設けられたＣＣＤカメラ等の撮像手段によって二次元コードを撮像し、その二次元コードの画像データを、ネットワークを介して所定の送信先に送信することによって、何らかの景品が当たったか、或いは外れたかといった情報を送信先から即座に取得することが可能になる。しかも、サービス情報を含んだ二次元コードが第２のラベル基材によって覆われているため、商品を正規に入手していない第三者によって二次元コードが盗み見られるのを防止することができる。
【０００９】
なお、サービス情報とは、商品を正規に入手したユーザに提供するための情報であって、例えば、そのユーザに何らかの景品を付与するための懸賞に関する情報等、ユーザにとって有益な様々な情報を意味する。また、商品に関する情報とは、商品自体に関する各種情報はもとより、商品に関する間接的な情報をも意味する。例えば、商品が缶ビールや缶コーヒー等の場合には、原材料、内容量、ロット記号、賞味期限、製造者、商品名等の情報がある。そして、商品に関する間接的な情報としては、上記サービス情報についてのユーザに対する説明情報等がある。
【００１０】
また、第１のラベル基材において、二次元コードの周囲には余白部が設けられており、第２のラベル基材において、余白部に対向する部分には粘着剤層が設けられていることが好ましい。このような構成を採用することで、商品を入手したユーザが二次元コードを露出させるべく第２のラベル基材を剥がす際に爪等が第１のラベル基材に引っ掛けられても、余白部の存在によって、二次元コードが歪むようなことが防止される。さらに、余白部に対向する部分に粘着剤層が設けられているため、第１のラベル基材から第２のラベル基材を剥がしたときに粘着剤層の一部が第１のラベル基材側に残っても、残った粘着剤が二次元コードに付着することもない。したがって、例えば、携帯電話機等に設けられたＣＣＤカメラ等の撮像手段を用いて、正確に二次元コードを読取ることが可能になる。
【００１１】
また、第２のラベル基材の隅部には、第２のラベル基材より硬い材質からなる剥離起点部が設けられていることが好ましい。このような剥離起点部を設けることで、商品を入手したユーザは第１のラベル基材から第２のラベル基材を容易に剥がすことができる。これにより、第１のラベル基材が破損されて二次元コードが読取り不能となるような事態が防止される。
【００１２】
【発明の実施の形態】
以下、図面と共に、本発明に係るラベルの好適な実施形態について詳細に説明する。
【００１３】
図１に示すように、ラベル１は、商品である缶コーヒーの金属缶Ｃの側面に貼付けられるものである。このラベル１は、図２に示すように、金属缶Ｃの側面に貼付けられる矩形状の第１のラベル基材２を有し、この第１のラベル基材２の表面２ａには、第１のラベル基材２とほぼ同形状の第２のラベル基材３が貼付けられている。これらのラベル基材２，３は一体的に形成され、折曲げ部４で２つ折りにされることで貼合わされている。なお、各ラベル基材２，３を別々に形成し、これらを貼合わせるようにしてもよい。
【００１４】
これらのラベル基材２，３は、例えば、ポリプロピレンフィルムやポリエステルフィルム等、種々の合成樹脂フィルムや合成紙によって形成することができる。ラベル基材２，３の材料としては、「ＹＵＰＯ（ユポ）」（登録商標）を含む。また、第１のラベル基材２の裏面２ｂには、金属缶Ｃの側面に貼付けるための粘着剤層（図示せず）が設けられており、この粘着剤層は、例えば、アクリル系粘着剤、ビニル系粘着剤、ゴム系粘着剤等の感圧接着剤によって形成することができる。
【００１５】
第２のラベル基材３の表面３ａには、缶コーヒーに関する情報であるバーコード６が印刷されている。このバーコード６は、缶コーヒーの製造元を示すメーカ情報や、缶コーヒーの種類を示すアイテム情報等を含んでいる。したがって、通常において金属缶Ｃにバーコード６が直接印刷される場所にラベル１を貼付けることで（図１参照）、金属缶Ｃに印刷された会社名や商品名等のマークやロゴ、原材料や内容量等の商品に関する情報を隠してしまうようなことを防止することができる。しかも、金属缶Ｃに対するバーコード６の印刷を不要にすることもでき、この場合には缶コーヒーのコストダウン化を図ることができる。
【００１６】
なお、第２のラベル基材３の表面３ａには、バーコード６に替えて、原材料、内容量、ロット記号、賞味期限、製造者、商品名等や、後述する二次元コードについてのユーザに対する説明等を印刷してもよい。
【００１７】
また、図３に示すように、第１のラベル基材２の表面２ａには、缶コーヒーを購入したユーザに提供するためのサービス情報を含んだ二次元コード７と、この二次元コード７についてのユーザに対する説明とが印刷されている。この二次元コード７は、水平方向と垂直方向とに情報を有し、バーコード６に比べ、小型でありながら大容量の情報をコード化することのできるシンボルコードである。そして、二次元コード７は、読取り精度を向上させるために、白色と黒色との２色で構成することが好ましい。なお、このラベル１では、種類の異なる二次元コード７が２つ印刷されているが、二次元コード７は、１つであってもよいし、或いは３つ以上であってもよい。
【００１８】
さらに、第１のラベル基材２の表面２ａにおいて、二次元コード７の周囲には余白部８が設けられている。したがって、缶コーヒーを購入したユーザが二次元コード７を露出させるべく第２のラベル基材３を剥がす際に爪等が第１のラベル基材２に引っ掛けられても、余白部８だけが歪んで、二次元コード７が歪むようなことが防止される。よって、例えば、携帯電話機等に設けられたＣＣＤカメラ等の撮像手段を用いて、正確に二次元コード７を読取ることが可能になる。
【００１９】
また、第２のラベル基材３の裏面３ｂにおいて、ラベル基材２，３を貼合わせた際に余白部８に対向する部分のうち、折曲げ部４の反対側の縁部には、折曲げ部４に沿って延在する粘着剤層９（図３の梨地領域）が設けられている。この粘着剤層９によってラベル基材２，３は貼合わされた状態で保持され、二次元コード７は、第２のラベル基材３によって覆われることになる。このように、余白部８に対向する部分に粘着剤層９が設けられているため、第１のラベル基材２から第２のラベル基材３を剥がしたときに粘着剤層９の一部が第１のラベル基材２側に残っても、残った粘着剤が二次元コード７に付着することがない。したがって、この構成によっても、撮像手段による二次元コードの読取りが正確になる。
【００２０】
そして、粘着剤層９も、第１のラベル基材２の裏面２ｂに形成された粘着剤層と同様に、例えば、アクリル系粘着剤、ビニル系粘着剤、ゴム系粘着剤等の感圧接着剤によって形成することができる。
【００２１】
さらに、第２のラベル基材３において、折曲げ部４の反対側の隅部には剥離起点部１１が設けられている。この剥離起点部１１は、例えば三角形状のプラスチック片を第２のラベル基材３の隅部に貼付けるなどして、第２のラベル基材３より硬い材質とされている。このような剥離起点部１１を設けることで、缶コーヒーを購入したユーザは第１のラベル基材２から第２のラベル基材３を容易に剥がすことができる。これにより、第１のラベル基材２が破損されて二次元コード７が読取り不能となるような事態が防止される。なお、このような観点から、剥離起点部１１の裏面には粘着剤層９を及ばせないことが好ましい。
【００２２】
次に、上述したラベル１の使用例について説明する。ラベル１は、第１のラベル基材２と第２のラベル基材３とが貼合わされた状態で缶コーヒーの金属缶Ｃの側面に貼り付けられる（図１及び図２参照）。このようにラベル１が貼付けられた缶コーヒーは、例えば店舗に陳列される。そして、その店舗においてユーザが缶コーヒーを購入する際には、店舗側は、ラベル１の第２のラベル基材３の表面３ａに印刷されたバーコード６を利用して、効率良く缶コーヒーを販売することができる。
【００２３】
このようにして缶コーヒーを購入したユーザは、第２のラベル基材３に設けられた剥離起点部１１を摘んだり、ここに爪を引っ掛けたりして、第１のラベル基材２から第２のラベル基材３を剥がす。これにより、第１のラベル基材２の表面２ａに印刷された二次元コード７を露出させることができる（図３参照）。続いて、ユーザは携帯電話機に設けられたＣＣＤカメラ等の撮像手段を用いて二次元コード７を撮像する。
【００２４】
ここで、二次元コード７は、当たり又は外れの情報を含んでおり、当たりの場合には、例えば音源（音楽や携帯電話機の着信メロディを含む）がユーザに付与される。つまり、携帯電話機の撮像手段によって取込まれた二次元コード７の画像データに基づいて当たりか外れかが判断され、外れの場合には、携帯電話機のディスプレイに「またチャレンジしてね」といった文字が表示される。
【００２５】
一方、当たりの場合には、携帯電話機のディスプレイに当選した旨が表示される。これにより、ユーザは複数の音源の中から好みの音源をリクエストすることができ、ネットワークを介して二次元コート７の画像データを送信した送信先のサイトから、景品として音源を携帯電話機にダウンロードすることができる。なお、このラベル１には種類の異なる二次元コード７が２つ印刷されているため、ユーザは景品を当てる機会を２度得ることができる。
【００２６】
以上説明したように、ラベル１によれば、第１のラベル基材２にはサービス情報を含んだ二次元コード７が表示され、第２のラベル基材３には缶コーヒーに関する情報を含んだバーコード６が表示されているので、商品である缶コーヒーに関する情報を的確に表示しつつ、缶コーヒーを入手したユーザに対してサービス情報を付与することが可能になる。
【００２７】
さらに、サービス情報が二次元コード７により表示されているため、例えば、携帯電話機等に設けられたＣＣＤカメラ等の撮像手段によって二次元コード７を撮像し、その二次元コードの画像データを、ネットワークを介して所定の送信先に送信することによって、音源等の景品が当たったか、或いは外れたかといった情報を即座に取得することが可能になる。
【００２８】
しかも、サービス情報を含んだ二次元コード７が第２のラベル基材３によって覆われているため、缶コーヒーを正規に入手していない第三者によって二次元コード７が盗み見られ、利用されるのを防止することができる。
【００２９】
本発明は、上記実施形態に限定されるものではない。例えば、上記実施形態は商品が缶コーヒーの場合であったが、本発明に係るラベルは、缶コーヒーに限らず種々の商品に適用可能である。また、第１のラベル基材２の表面２ａに剥離剤層を設け、第２のラベル基材３の裏面３ｂに粘着剤層を設けることで、第１のラベル基材２と第２のラベル基材３とを疑似接着により仮着してもよい。疑似接着は、剥離によりその間に一度空気が入り込むと、再び接着することのない特性を有するもので、疑似接着剤層である粘着剤層に所定以上の圧力或いは熱などを付加することによって実現することができる。なお、二次元コード７の確実な読取りを達成するために、第１のラベル基材２の表面２ａに設けられる剥離剤層は透明であることが好ましい。
【００３０】
【発明の効果】
以上説明したように、本発明に係るラベルによれば、商品に関する情報を的確に表示しつつ、その商品を入手したユーザに対して、例えば懸賞等のサービス情報を付与することが可能になる。
【図面の簡単な説明】
【図１】本発明に係るラベルの一実施形態を示す斜視図である。
【図２】図１に示すラベルにおいて第１のラベル基材と第２のラベル基材とが貼合わされた状態を示す斜視図である。
【図３】図１に示すラベルにおいて第１のラベル基材から第２のラベル基材が剥がされた状態を示す斜視図である。
【符号の説明】
１…ラベル、２…第１のラベル基材、３…第２のラベル基材、６…バーコード（商品に関する情報）、７…二次元コード、８…余白部、９…粘着剤層、１１…剥離起点部。
【図１】
2004198616.tif 000003
【図２】
2004198616.tif 000004
【図３】
2004198616.tif 000005